(57)【要約】【課題】映像データの時間軸に関連付けた付加情報を、外部端末を利用して記録する場合に、通信が不安定な場合でも、付加情報を付加情報入力者の意図した時間軸上の位置に関連付けることができる映像記録装置を提供する。【解決手段】外部端末１５０は、付加情報の送信に失敗した場合、自身の内蔵時計１６１が指し示す時刻と付与に失敗した付加情報を対にして付加失敗リスト１６０に記憶する。再度接続が確立したとき、外部端末１５０は時刻情報と付加情報を映像撮影装置１００に再送し、映像撮影装置１００は、映像ファイル１０２に関連付けた付加情報ファイル１１２に記録した撮影開始時刻及び撮影終了時刻と時刻情報の比較により、指定時刻において撮影していた映像ファイル及び当該映像ファイル内での時間的オフセットを検索・特定し、特定された時間的位置に対し、付加情報を付与する。【選択図】図１
2011091723.tif 000002
【特許請求の範囲】
【請求項１】
映像データと、前記映像データに関連付けられる付加情報とを、記録媒体に記録する記録媒体制御部と、
外部端末と通信を行う通信部と、
前記外部端末から前記通信部を介して時刻情報を受信し、前記時刻情報に記述された時刻において記録された映像データを、前記付加情報に含まれる記録開始時刻及び記録終了時刻に基づいて検索し、特定する映像データ検索部と、
前記外部端末から前記通信部を介して追加付加情報を受信し、前記追加付加情報を、前記映像データ検索部で特定した映像データに関する前記付加情報に追加する付加情報管理部と、
を備える映像記録装置。
【請求項２】
前記映像データ検索部は、
前記通信部を介して受信した前記時刻情報の時刻において記録された映像データの特定に加えて、特定した映像データ内における時間軸上の位置を特定し、
前記付加情報管理部は、
前記通信部を介して受信した追加付加情報を、前記映像データの特定された時間軸上の位置に関連付けて、前記付加情報に追加する、
請求項１に記載の映像記録装置。
【請求項３】
映像データと、前記映像データに関連付けられる付加情報とを、記録媒体に記録する記録媒体制御部と、
外部端末と通信を行う通信部と、
前記外部端末から前記通信部を介して時刻情報を受信し、前記時刻情報に記述された時刻において記録された映像データを、前記映像データに含まれる記録開始時刻及び記録終了時刻に基づいて検索し、特定する映像データ検索部と、
前記外部端末から前記通信部を介して追加付加情報を受信し、前記追加付加情報を、前記映像データ検索部で特定した映像データに関する前記付加情報に追加する付加情報管理部と、
を備える映像記録装置。
【請求項４】
前記映像データ検索部は、
前記通信部を介して受信した前記時刻情報の時刻において記録された映像データの特定に加えて、特定した映像データ内における時間軸上の位置を特定し、
前記付加情報管理部は、
前記通信部を介して受信した追加付加情報を、前記映像データの特定された時間軸上の位置に関連付けて、前記付加情報に追加する、
請求項３に記載の映像記録装置。
【請求項５】
映像記録装置と通信を行う通信部と、
追加付加情報の入力を受け付ける入力受付部と、
前記入力受付部を介して入力された前記追加付加情報を、前記通信部を介して前記映像記録装置に送信する付加情報送信部と、
前記通信部が前記映像記録装置と通信できなかったときに、前記入力受付部において入力が開始された時刻情報と前記入力受付部を介して入力された前記追加付加情報とを記憶する付加失敗リスト保存部と、
前記付加失敗リスト保存部に記憶した前記時刻情報及び前記追加付加情報を、前記付加情報送信部を用いて、前記映像記録装置へ再送する再送指示部と、
を備える外部端末。
【請求項６】
映像記録装置と通信を行う通信部と、
追加付加情報の入力を受け付ける入力受付部と、
前記入力受付部を介して入力された前記追加付加情報を、前記通信部を介して前記映像記録装置に送信する付加情報送信部と、
前記通信部が前記映像記録装置と通信できなかったときに、当該通信を試みた時刻に関する情報と前記入力受付部を介して入力された前記追加付加情報とを記憶する付加失敗リスト保存部と、
前記付加失敗リスト保存部に記憶した前記時刻情報及び前記追加付加情報を、前記付加情報送信部を用いて、前記映像記録装置へ再送する再送指示部と、
を備える外部端末。
【請求項７】
追加付加情報の入力を受け付ける入力受付部と、
前記入力受付部において入力が開始された時刻に関する情報と、前記入力受付部で入力された追加付加情報とを記憶する付加対象リスト保存部と、
映像データおよび前記映像データに関連付けられる付加情報が記録された記録媒体を接続可能な記録媒体接続部と、
前記記録媒体に記録された前記付加情報に含まれる記録開始時刻及び記録終了時刻に基づいて、前記付加対象リスト保存部に記憶された時刻において記録された映像データを検索し、特定する映像データ検索部と、
前記映像データ検索部で特定した映像データに関する前記付加情報に、前記付加対象リスト保存部に記憶された前記追加付加情報を追加する付加情報書き出し部と、
を備える外部端末。
【請求項８】
追加付加情報の入力を受け付ける入力受付部と、
前記入力受付部において入力が開始された時刻に関する情報と、前記入力受付部で入力された追加付加情報とを記憶する付加対象リスト保存部と、
映像データおよび前記映像データに関連付けられる付加情報が記録された記録媒体を接続可能な記録媒体接続部と、
前記記録媒体に記録された前記映像データに含まれる記録開始時刻及び記録終了時刻に基づいて、前記付加対象リスト保存部に記憶された時刻において記録された映像データを検索し、特定する映像データ検索部と、
前記映像データ検索部で特定した映像データに関する前記付加情報に、前記付加対象リスト保存部に記憶された前記追加付加情報を追加する付加情報書き出し部と、
を備える外部端末。
【請求項９】
映像記録装置と通信を行う通信部と、
追加付加情報の入力を受け付ける入力受付部と、
前記入力受付部を介して入力された前記追加付加情報を、前記通信部を介して前記映像記録装置に送信する付加情報送信部と、
前記通信部が前記映像記録装置と通信できなかったときに、当該通信を試みた時刻に関する情報と前記入力受付部を介して入力された前記追加付加情報とを記憶する付加失敗リスト保存部と、
映像データおよび前記映像データに関連付けられる付加情報が記録された記録媒体を接続可能な記録媒体接続部と、
前記記録媒体に記録された前記付加情報に含まれる記録開始時刻及び記録終了時刻に基づいて、前記付加失敗リスト保存部に記憶された時刻において記録された映像データを検索し、特定する映像データ検索部と、
前記映像データ検索部で特定した映像データに関する前記付加情報に、前記付加失敗リスト保存部に記憶された前記追加付加情報を追加する付加情報書き出し部と、
を備える外部端末。
【請求項１０】
映像記録装置と通信を行う通信部と、
追加付加情報の入力を受け付ける入力受付部と、
前記入力受付部を介して入力された前記追加付加情報を、前記通信部を介して前記映像記録装置に送信する付加情報送信部と、
前記通信部が前記映像記録装置と通信できなかったときに、当該通信を試みた時刻に関する情報と前記入力受付部を介して入力された前記追加付加情報とを記憶する付加失敗リスト保存部と、
映像データおよび前記映像データに関連付けられる付加情報が記録された記録媒体を接続可能な記録媒体接続部と、
前記記録媒体に記録された前記映像データに含まれる記録開始時刻及び記録終了時刻に基づいて、前記付加失敗リスト保存部に記憶された時刻において記録された映像データを検索し、特定する映像データ検索部と、
前記映像データ検索部で特定した映像データに関する前記付加情報に、前記付加失敗リスト保存部に記憶された前記追加付加情報を追加する付加情報書き出し部と、
を備える外部端末。
【発明の詳細な説明】
【技術分野】
【０００１】
本発明は、カメラレコーダー等の映像記録装置および映像記録装置に付随する記録媒体に付加情報を入力する装置に関する。
【背景技術】
【０００２】
近年、テープにリニアに映像を記録するのではなく、半導体メモリ等の記録媒体にファイルとして映像を記録する映像記録装置が登場している（例えば、特許文献１参照）。
【０００３】
このようにファイルとして映像を記録する映像記録装置の場合、撮影した映像に関連する付加情報を記録媒体に記録することも可能である。さらに、特許文献２には、映像に関連する付加情報をさらに映像の時間軸に関連付けて記録するようにした映像記録装置が開示されている。具体的に説明すると、この映像記録装置は、ユーザのアクションを伴った付加情報入力手段としてメタデータ入力用ボタンを備えている。メタデータ入力用ボタンは、３つのボタンにより構成され、カメラレコーダーの側面に備えられている。３つのボタンのうち、たとえば、１つ目のボタンは重要シーンの登録用、２つ目のボタンはボタン操作を有効にしたり文字入力モードに切替えるモード切替え用、３つ目のボタンは登録のキャンセル用である。そして、例えば撮影中に重要な場面でメタデータ入力用ボタンを押すことにより、その重要な撮影場面（シーン）にマークやテキスト等の付加情報を付与することができる。なお、テキスト情報の入力は、映像記録装置が、映像や音声を認識してそれに対応するテキストを自動生成することが可能となっている。
【先行技術文献】
【特許文献】
【０００４】
【特許文献１】特開平７−６７０６６号公報
【特許文献２】特開２００７−０８２０８８号公報
【発明の概要】
【発明が解決しようとする課題】
【０００５】
しかし、特許文献２に記載の付加情報入力手段は、撮影者に撮影行為（フォーカスや絞りの調整、画面の構成など）以外の煩雑な作業を要求する。すなわち、撮影者が撮影行為および付加情報入力行為の両者を並行して効率よくすすめるには非常な困難を伴うという問題がある。
【０００６】
ところで、近年、操作性の高い文字入力手段と無線ＬＡＮ等の無線接続手段を備えた、携帯電話や携帯音楽プレーヤー等の携帯端末が入手容易になってきている。
【０００７】
そこで、このような携帯端末を、テキスト等の付加情報を入力するための文字入力手段として利用することが考えられる。このように構成すれば、映像記録装置内の記録媒体への付加情報の入力を遠隔から無線接続で行うことが可能になる。特に、複数の人物が共同で映像を制作するプロフェッショナルな映像製作の現場において、撮影と付加情報入力とを２人の人物で分担して行うことが可能となり、各作業を並行してすすめることが容易となる。
【０００８】
また、このようにして、携帯端末とカメラレコーダー間のメタ情報のやりとりを無線通信で行うことにより、撮影者とメタ情報入力担当者の間の位置的自由度が格段に増し、利便性が向上する。
【０００９】
しかし一方で、無線通信を利用することによる問題として、撮影現場の環境次第で、携帯端末とカメラレコーダー間の通信が不安定になることがある、という問題が生じる。これにより、現在撮影者がカメラレコーダーを用いて撮影している対象に関するメタ情報を、メタ情報入力担当者が携帯端末から入力・送信しようとしたときに、携帯端末とカメラレコーダー間の無線通信が、混線や遮蔽等の理由で断絶していることが発生し得る。
【００１０】
このような場合は、その時点での映像情報へのメタ情報の付与を断念せざるを得ないため、撮影終了後に、撮り終わった映像を再度再生・確認しながら、メタ情報を関連付けようとしていた場所を探し、改めて入力するという大変な手間が生じる。
【００１１】
本発明は、上述のような問題に鑑みてなされたものであって、記録媒体にファイルとして映像記録をおこない、かつ映像データの時間軸に関連付けた付加情報を、外部端末を利用して無線通信を用いて記録する場合において、外部端末と映像記録装置間の無線通信が断絶していた場合であっても、利用者の意図した映像上の位置にメタ情報を関連付けることができる映像記録装置および外部端末を提供することを目的とする。
【課題を解決するための手段】
【００１２】
上記課題を解決するために、本発明の映像記録装置は、映像データと、前記映像データに関連付けられる付加情報とを、記録媒体に記録する記録媒体制御部と、外部端末と通信を行う通信部と、前記外部端末から前記通信部を介して時刻情報を受信し、前記時刻情報に記述された時刻において記録された映像データを、前記付加情報に含まれる記録開始時刻及び記録終了時刻に基づいて検索し、特定する映像データ検索部と、前記外部端末から前記通信部を介して追加付加情報を受信し、前記追加付加情報を、前記映像データ検索部で特定した映像データに関する前記付加情報に追加する付加情報管理部と、を備える。
【００１３】
また、本発明の外部端末は、映像記録装置と通信を行う通信部と、追加付加情報の入力を受け付ける入力受付部と、前記入力受付部を介して入力された前記追加付加情報を、前記通信部を介して前記映像記録装置に送信する付加情報送信部と、前記通信部が前記映像記録装置と通信できなかったときに、前記入力受付部において入力が開始された時刻情報と前記入力受付部を介して入力された前記追加付加情報とを記憶する付加失敗リスト保存部と、前記付加失敗リスト保存部に記憶した前記時刻情報及び前記追加付加情報を、前記付加情報送信部を用いて、前記映像記録装置へ再送する再送指示部と、を備える。
【発明の効果】
【００１４】
上記の構成によって、本発明の映像記録装置及び外部端末は、映像記録装置と外部端末間の通信手段の接続状態が良好ではない場合であっても、映像の所望の時間軸上の地点に付加情報を事後的に付与することができる。したがって、撮影後の編集工程などにおいて、記録位置情報及び付加情報を利用して、所望の映像の検索や頭出しなどが速やかに行えるようになり、これにより、映像制作の現場における作業の効率性を大きく改善することができる。
【図面の簡単な説明】
【００１５】
【図１】実施の形態１における映像記録装置と外部端末の構成を示すブロック図
【図２】記録媒体上の映像ファイルと付加情報ファイルの配置を示す図
【図３Ａ】付加情報ファイルの内容例を示す図
【図３Ｂ】付加情報ファイルの内容例を示す図
【図４】実施の形態１における映像記録装置と外部端末の動作を示すフローチャート
【図５】機器間で用いる通信内容の例を示す図
【図６】実施の形態１における外部端末の動作を示すフローチャート
【図７】実施の形態２における外部端末の構成を示すブロック図
【図８】実施の形態２における外部端末の動作を示すフローチャート
【発明を実施するための形態】
【００１６】
（実施の形態１）
１．システム構成
図１は、実施の形態１における映像記録装置および外部端末の構成を示したブロック図である。
【００１７】
図１（Ａ）に本実施の形態１における映像記録装置のブロック図を示す。
【００１８】
映像記録装置１００は、撮像手段１０６と、映像圧縮手段１０５と、記録媒体制御手段１０７と、撮影フレーム数カウンター１１４と、撮影状態管理手段１１５と、クリップ情報管理手段１０８と、撮影開始終了受付手段１０３と、無線通信手段１０４とを備える。映像記録装置１００は、挿抜可能な記録媒体１０１に映像ファイル１０２を書き込むことで映像を記録する装置である。映像記録装置１００は、ユーザによって撮影開始終了受付手段１０３を介して映像記録の開始が指示されると、撮像手段１０６が出力した非圧縮動画データを、映像圧縮手段１０５でＭＰＥＧ−２（ＩＳＯ／ＩＥＣ  １３８１８）やＤＶ（ＩＥＣ  ６１８３４）等の動画形式に圧縮し、記録媒体制御手段１０７を通じて記録媒体１０１に映像ファイル１０２として記録する。撮影開始終了受付手段１０３は、例えばカメラレコーダーの録画開始ボタンである。また、記録媒体１０１としては、半導体メモリや光ディスクといったランダムアクセス可能な媒体が利用される。記録媒体制御手段１０７は、例えばＦＡＴファイルシステム（ＩＳＯ／ＩＥＣ  ９２９３）等を用いて記録媒体１０１上でのファイルの配置を管理する。クリップ情報管理手段１０８は、ファイル名決定手段１０９と、メディアＩＤ管理手段１１０と、付加情報管理手段１１１とを備える。記録媒体制御手段１０７は、映像ファイル１０２のファイル名称を決定するにあたり、クリップ情報管理手段１０８内部のファイル名決定手段１０９に、使用すべきファイル名を問い合わせる。ファイル名決定手段１０９は、各映像ファイルに、例えば記録媒体１０１内に存在する映像ファイルが作成順の通し番号の名前をもつように、一意の名称を付与する。
【００１９】
付加情報管理手段１１１は、映像記録装置１００が映像の記録を開始すると同時に、記録媒体１０１内の映像ファイル１０２に関する付加情報を、付加情報ファイル１１２として映像ファイル１０２と同じ記録媒体１０１内に作成する。
【００２０】
記録媒体１０１内での映像ファイル１０２と付加情報ファイル１１２の構成例を図２に示す。なお、図２において図１と同じものに関しては同じ符号を用いている。
【００２１】
図２に示すように、記録媒体１０１内において、ルートディレクトリにＣＯＮＴＥＮＴＳディレクトリが設置され、映像記録装置１００が書き出すデータの全てがこのディレクトリの下に書き込まれる。ＣＯＮＴＥＮＴＳディレクトリの下には、ＶＩＤＥＯディレクトリとＣＬＩＰディレクトリが設置され、ＶＩＤＥＯディレクトリの下に映像ファイル１０２、ＣＬＩＰディレクトリの下に付加情報ファイル１１２が記録される。本例では、映像ファイル１０２の名称は、“０００１．ｍｘｆ”としており、記録媒体１０１内の映像ファイルに対する通し番号“０００１”と、ファイル種別を示す拡張子“ｍｘｆ”（Ｍａｔｅｒｉａｌ  Ｅｘｃｈａｎｇｅ  Ｆｏｒｍａｔ  ［ＳＭＰＴＥ−３７７Ｍ］）とから構成されている。さらに、付加情報ファイル１１２の名称は、“０００１．ｘｍｌ”とすることで、対応する映像ファイル１０２がファイル名から容易にわかるように工夫されている。すなわち、対応する映像ファイル１０２と同じ通し番号“０００１”と、付加情報のファイル種別を示す拡張子“ｘｍｌ”（ｅＸｔｅｎｓｉｂｌｅ  Ｍａｒｋｕｐ  Ｌａｎｇｕａｇｅ  ［ＪＩＳ  Ｘ  ４１５９：２００２］）とでファイル名を構成している。
【００２２】
本実施の形態１の映像記録装置１００による映像記録に伴って作成される付加情報ファイル１１２の例を図３Ａに示す。本例において付加情報ファイル１１２は、ＸＭＬ形式で記述されている。ここでは、＜ＣｌｉｐＮａｍｅ＞タグで映像ファイル１０２のファイル名を示した上で、それと並ぶ＜Ｄｕｒａｔｉｏｎ＞タグで映像ファイル１０２の長さを記述し、＜ＥｓｓｅｎｃｅＬｉｓｔ＞タグで映像ファイル１０２のパラメータを列挙している。＜Ｄｕｒａｔｉｏｎ＞で記述する映像の長さの単位としては、本例ではフレームを用いている。また、＜ＥｓｓｅｎｃｅＬｉｓｔ＞タグの中では、＜Ｃｏｄｅｃ＞タグを用いて映像のフレームレートを記述し、＜ＳｔａｒｔＴｉｍｅｃｏｄｅ＞タグを用いて映像ファイル１０２の開始タイムコードを記述している。本例では、映像ファイル０００１．ｍｘｆの映像長は１０６４フレーム、フレーム周波数は５９．９４フレーム毎秒で、開始タイムコードは０５：３３：３３：１２である。
【００２３】
また、付加情報ファイル１１２は、＜ＣｒｅａｔｉｏｎＤａｔｅ＞タグで、映像ファイル１０２を作成開始した日付および時間を記述している。これは、映像記録装置１００が映像の記録を開始した瞬間にクリップ情報管理手段１０８に内蔵した時計１１７が指し示していた時刻を表すものであり、本例ではそれが２００７−０５−２０Ｔ０８：５８：５６＋００：００すなわち、２００７年５月２０日８時５８分５６秒（世界標準時）であったことを示している。同様に、＜ＬａｓｔＵｐｄａｔｅＤａｔｅ＞タグで、映像ファイル１０２の作成を終了した時間、すなわち映像記録装置１００が映像の記録を終了した時間を記述している。
【００２４】
また、クリップ情報管理手段１０８は、映像記録装置１００に記録媒体１０１が接続された段階で記録媒体１０１のメディアＩＤ１１３を読み出して、メディアＩＤ管理手段１１０に格納しておく。メディアＩＤ１１３は、記録媒体１０１を一意に特定できる番号列もしくは文字列であれば何でもよく、記録媒体１０１にハードウェア的に埋め込まれているもの（例えば生産シリアル番号）であっても構わないし、記録媒体１０１上のファイルシステムの管理領域に書かれたもの（例えばＦＡＴファイルシステムのボリュームＩＤ）であっても構わない。
【００２５】
また、撮影フレーム数カウンター１１４は、映像記録装置１００が記録媒体１０１に映像ファイル１０２として書き込んだフレーム数を映像圧縮手段１０５から取得して保持している。また、撮影フレーム数カウンター１１４の保持するフレーム数は、撮影開始終了受付手段１０３による動画記録開始指示とともにカウントが開始され、順次加算され、動画記録終了指示とともにゼロにリセットされる。
【００２６】
また、撮影状態管理手段１１５は、ファイル名決定手段１０９から記録中の映像ファイル１０２のファイル名、メディアＩＤ管理手段１１０から記録媒体１０１のメディアＩＤ、撮影フレーム数カウンター１１４から記録済みのフレーム数を常に取得することで、映像記録装置１００が記録している映像データの所在地と長さをリアルタイムに保持している。撮影状態管理手段１１５は、無線通信手段１０４と接続されており、外部端末１５０と無線通信することが出来る。
【００２７】
さらに、クリップ検索手段１１６は、無線通信手段１０４を通して、外部から問い合わせのあった条件に合致した映像ファイルを記録媒体１０１内から検索・発見する。具体的には、特定の日付と時刻を指定した問い合わせがあったときに、記録媒体１０１内のすべての付加情報ファイル１１２を走査し、その中に記録された＜ＣｒｅａｔｉｏｎＤａｔｅ＞および＜ＬａｓｔＵｐｄａｔｅＤａｔｅ＞タグの内容と、問い合わせのあった日付・時刻とを比較することにより、上記２つのタグで記述された時刻の間に、問い合わせのあった日付・時刻を含む映像ファイルを検索する。それにより、その日付・時刻において映像記録装置１００が記録していた映像ファイルと、その日付・時刻に該当する映像ファイル内の時間軸上の位置を探し出すことができる。映像ファイル内の時間軸上の位置とは、例えば、映像ファイルの開始フレームから何フレーム目にあたるかをいい、具体的には
（（指定時刻）−（撮影開始時刻））×（秒間フレーム数）
で計算できる値を用いることができる。
【００２８】
クリップ検索手段１１６が検索をおこなった結果は付加情報管理手段１１１に通知される。
【００２９】
図１（Ｂ）に、本実施の形態１における外部端末１５０のブロック図を示す。
【００３０】
外部端末１５０は、タッチパネル１５１と、付加情報入力開始検出手段１５２と、付加情報入力受付手段１５３と、送信指示手段１５４とを備える。タッチパネル１５１は、付加情報入力開始検出手段１５２、付加情報入力受付手段１５３、および送信指示手段１５４に対するユーザーインターフェイスとしての役割を有している。付加情報入力受付手段１５３は、タッチパネル１５１に表示されたテキスト入力領域の内容を取得および保持する。付加情報入力開始検出手段１５２は、上記テキスト入力領域に１文字目が入力されたこと、またはタッチパネル１５１に表示された「入力開始」ボタンがクリックされたことを検出する。送信指示手段１５４は、タッチパネル１５１に表示された「送信」ボタンがクリックされたことを検出する。なお、タッチパネル１５１はユーザーインターフェイスの一例であって、付加情報入力受付手段１５３、付加情報入力開始検出手段１５２、および送信指示手段１５４に対するインターフェイスを実現するものであれば、表示領域と入力手段とが分離していても一向に構わない。
【００３１】
また、外部端末１５０は、無線通信手段１５５をさらに備え、映像記録装置１００と無線通信することができる。さらに、外部端末１５０は撮影状態問い合わせ手段１５６および付加情報送信手段１５７を備えている。撮影状態問い合わせ手段１５６は、無線通信手段１５５を通じて映像記録装置１００から受け取った情報を保持するための付加対象メモリ１５８を備える。
【００３２】
また、外部端末１５０は、無線通信手段１５５を通じて映像記録装置１００との通信に失敗した場合に、付与に失敗したメタ情報を格納するための付加対象保存手段１５９を備える。付加対象保存手段１５９は、それらの情報を付加失敗リスト１６０として保存する。付加失敗リスト１６０の内容は、付与しようとしたメタ情報の内容と、撮影状態問い合わせ手段１５６が映像記録装置１００との通信に失敗した時に、外部端末１５０内蔵の時計１６１が指し示していた日付・時刻をひとつのペアとしたもののリストである。付加失敗リスト１６０の保存先は、外部端末１５０内蔵の記録媒体であっても、例えば小型メモリーカードのような取り外し可能な記録媒体であっても構わないし、また、揮発・不揮発も問わない。
【００３３】
また、外部端末１５０は、再送指示手段１６２を備える。再送指示手段１６２は、例えばタッチパネル１５１に表示された「再送」ボタンがクリックされたことを検出する。
【００３４】
本実施の形態１では、カメラマンが映像記録装置１００を用いて撮影をしている近傍で、外部端末１５０を持ったユーザが、現在撮影している対象におこった出来事や、撮影対象そのものを説明するテキスト（以下、適宜「付加情報」という）をリアルタイムに入力していくシステムを想定している。以下の説明では、付加情報の入力必要が生じたことを便宜上「イベント発生」と呼ぶことにする。なお、映像記録装置１００と外部端末１５０との間の無線通信には、一般的な無線ＬＡＮ（ＩＥＥＥ８０２．１１ｂ等）で定められたＡｄ−Ｈｏｃ通信の使用が想定されるが、両者が情報の授受を出来るのであれば、使用される方式はなんでもよい。
【００３５】
２．動作
以下に、映像記録装置１００で現在撮影中の映像ファイル１０２の時間軸上に関連付けた付加情報を、外部端末１５０から付与する方法について図４のフローチャートを用いて詳述する。
【００３６】
イベントが発生すると（Ｓ５０１）、ユーザは外部端末１５０のタッチパネル１５１を操作して付加情報入力を開始する。付加情報入力開始検出手段１５２は、ユーザによる付加情報入力を検出する。この検出方法は、タッチパネル１５１に表示された「入力開始」のボタンのクリックを検出することであっても構わないし、タッチパネル１５１に表示されたテキスト入力領域に文字を書き始めたことを付加情報入力開始検出手段１５２が自動的に検出しておこなわれるものであっても構わない。
【００３７】
付加情報入力開始を検出すると（Ｓ５０２）、付加情報入力開始検出手段１５２は、撮影状態問い合わせ手段１５６にその旨を通知する。撮影状態問い合わせ手段１５６は、映像記録装置１００に撮影状態の問い合わせを行う（Ｓ５０３）。撮影状態問い合わせ手段１５６は例えば図５（Ａ）に示すような文字列を、無線通信手段１５５を介して無線通信により映像記録装置１００に送信することで、撮影状態問い合わせをおこなう（Ｓ５０３）。なお、無線通信の際のプロトコルとしては、例えばＴＣＰ／ＩＰ（ＲＦＣ７９３／ＲＦＣ７９１）が利用可能である。以下の無線通信においても同様である。
【００３８】
この撮影状態問い合わせ（Ｓ５０３）の段階で、外部端末１５０と映像記録装置１００の間の無線通信が有効に接続されていたか否かが問題となるが、まず以下では、無線通信が有効に接続されていた場合について、引き続き図４を用いて説明する。
【００３９】
映像記録装置１００は、無線通信手段１０４を介して撮影状態問い合わせを受けると、撮影状態管理手段１１５が、撮影フレーム数カウンター１１４が起動しているか否かに基づいて現在映像記録装置１００が映像記録中か否かを判断する（Ｓ５０４）。記録動作中でない場合、撮影状態管理手段１１５は、エラーを外部端末１５０に通知する（Ｓ５０５）。例えばこのエラー通知として撮影状態管理手段１１５は図５（Ｃ）のような文字列を無線通信により送信する。外部端末１５０は、エラー通知を受信した場合、タッチパネル１５１に警告文（エラー表示）の表示等を行って（Ｓ５０７）、付加情報の付与が不可能である旨をユーザに通知する。
【００４０】
一方、映像記録装置１００が記録動作中であると判断した場合、撮影状態管理手段１１５は、その時点の撮影状態及び付加対象に関する情報（以下、「撮影状態情報」と呼ぶ）を外部端末１５０に送信する（Ｓ５０６）。撮影状態情報には、映像を記録している「メディアＩＤ名」、記録している映像の「ファイル名」、および撮影開始からの「フレーム数（オフセット）」の情報が含まれている。撮影開始からのフレーム数は、撮影フレーム数カウンター１１４から得られる。撮影状態情報は、例えば、図５（Ｂ）のような文字列で無線通信により返信される。図５（Ｂ）は、撮影状態の問い合わせがあった時点で、メディアＩＤが１０００００００の記録媒体に対して、０００１．ｍｘｆという映像ファイルの５４７１フレーム目を記録している状態にあったことを伝達するためのテキストデータを示す。
【００４１】
外部端末１５０は、映像記録装置１００から撮影状態情報を受信すると、受信した情報を付加対象メモリ１５８に記憶し（Ｓ５０８）、以後、送信指示手段１５４を介してユーザが入力テキストの送信指示をするまで待つ（Ｓ５０９）。
【００４２】
このように、ユーザが付加情報入力を開始した時点で、外部端末１５０が、映像記録装置１００から、撮影開始時の撮影状態情報を、ユーザのテキスト送信のステップとは独立して事前に取得するのは、ユーザが付加情報入力（テキスト入力）に要する時間に関わらず、意図した時間軸上の位置へのリアルタイム付加情報付与を可能にするためである。
【００４３】
付加情報入力開始（Ｓ５０２）以降、ユーザはタッチパネル１５１等を通じて、映像ファイル１０２の時間軸上に付与したい付加情報（テキスト）を入力する。付加情報入力作業と、上記撮影状態情報のやりとりは完全に並行しておこなわれても構わない。なお、ユーザが入力したテキストデータの内容は、まず外部端末１５０内の付加情報入力受付手段１５３に逐次記憶される。テキストデータの入力が終わると、ユーザはタッチパネル１５１上の「送信」ボタンをクリックするなどの手段で、送信指示手段１５４に送信作業の開始を指示する。
【００４４】
ステップＳ５０９で送信指示が検出されると、送信指示手段１５４は付加情報送信手段１５７を起動する。付加情報送信手段１５７は、付加情報入力受付手段１５３から、ユーザが入力した付加情報を取得する。また、付加情報送信手段１５７は、付加対象メモリ１５８から、この付加情報の入力を開始したときに映像記録装置１００から受信して記憶されている撮影状態情報を取得する（Ｓ５１０）。付加情報送信手段１５７は、この付加情報と撮影状態情報とを関連付けて映像記録装置１００へ無線通信手段１５５を介して送信する（Ｓ５１１）。例えば、図５（Ｄ）のような文字列を、無線通信を介して送信する。
【００４５】
映像記録装置１００は、外部端末１５０から付加情報と撮影状態情報とを受け取ると、映像記録装置１００内に付加情報を付与すべき付加対象の記録媒体が接続されているか否かを判断する（Ｓ５１２）。具体的には、撮影状態情報中のメディアＩＤ名と、現在映像記録装置１００に接続されている記録媒体１０１のメディアＩＤ名とを比較し、同じ記録媒体か否かを調べる（Ｓ５１２）。記録媒体が異なっていた場合は、エラーが発生した旨を外部端末１５０に無線通信手段１０４を介して通知し（Ｓ５１３）、外部端末１５０はタッチパネル１５１に警告表示（エラー表示）を表示するなどの手段でユーザにエラーが発生したことを通知する（Ｓ５１５）。ステップＳ５１３からステップＳ５１５の動作は、上記ステップＳ５０５から５０７と同様の動作で実現できる。
【００４６】
記録媒体が同一であると確認できた場合は、クリップ情報管理手段１０８は、対象となる映像ファイル１０２に関連付けられた付加情報ファイル１１２を更新することで、受け取った付加情報を付与する（Ｓ５１４）。例えば、図３Ｂのように付加情報ファイル１１２を書き変えることで、映像ファイル１０２の時間軸上に関連付けた付加情報を付与する。
【００４７】
図３Ｂでは、記録開始直後の付加情報ファイル１１２の内容（図３Ａ）に較べて＜ＭｅｍｏＬｉｓｔ＞タグ以下が追加されている。＜ＭｅｍｏＬｉｓｔ＞タグ以下には、＜Ｍｅｍｏ＞タグが存在している。＜Ｍｅｍｏ＞タグ以下には、＜Ｏｆｆｓｅｔ＞タグと＜Ｔｅｘｔ＞タグが存在している。＜Ｔｅｘｔ＞の内容は、外部端末１５０から取得した付加情報、すなわちユーザが入力した付加情報（テキスト）の内容を示し、＜Ｏｆｆｓｅｔ＞の内容は、外部端末１５０から取得した撮影状態情報中のフレーム数情報、すなわち＜Ｔｅｘｔ＞の内容を関連付ける位置、具体的には映像ファイル１０２の開始フレームから何フレーム目かの情報、すなわち撮影開始からのフレーム数を示している。
【００４８】
ステップＳ５１４において付加情報ファイル１１２を更新すると、映像記録装置１００は外部端末１５０に対し処理の完了を通知する（Ｓ５１６）。例えば、映像記録装置１００は図５（Ｅ）のような文字列を無線通信により送信する。外部端末１５０は、ステップＳ５１６による完了通知を受信すると、タッチパネル１５１に完了表示等を行うことにより、ユーザに、付加情報の映像ファイル１０２への関連付け処理が完了したことを通知する（Ｓ５１７）。
【００４９】
以上の手順により、外部端末１５０と映像記録装置１００の間で有効に無線通信が維持されていた場合は、映像記録装置１００が記録している映像ファイル１０２の時間軸上に、外部端末１５０からメタ情報を付与することができる。
【００５０】
続いて、撮影状態の問い合わせ（Ｓ５０３）の段階で外部端末１５０と映像記録装置１００の間の無線通信が、混線・遮蔽等の理由で断絶していたときの動作について、図６を用いて説明する。
【００５１】
外部端末１５０は、撮影状態の問い合わせ（Ｓ５０３）に失敗した場合、本来映像記録装置１００から返される情報の替わりに、自機の内蔵時計１６１がその時点で指し示していた日付と時刻の情報を、付加対象メモリ１５８に記憶する（Ｓ６０１）。ここで、問い合わせの失敗は、一定時間以上経っても映像記録装置１００から応答がないことにより判断できる。また、内蔵時計１６１を参照する時間は、上記一定時間経過後ではなく、通信開始を試みた時点（Ｓ５０３開始時点）、もしくは、ユーザが入力を開始した時点（Ｓ５０２）であることが好ましい。より正確に、本来メタ情報が付与されるべき時間を記録するためである。
【００５２】
その後、ユーザによるテキストデータの入力が終わり、タッチパネル１５１上の「送信」ボタンをクリックするなどの手段で、送信指示手段１５４に送信作業の開始を指示されるまで待つ（Ｓ６０２）。
【００５３】
送信指示があった時点で、付加情報送信手段１５７は、付加情報入力受付手段１５３から、ユーザが入力した付加情報を取得する。また、付加情報送信手段１５７は、付加対象メモリ１５８から、ステップＳ６０１において記録した日付・時刻情報を読み出す。これらの情報の対を、付加情報送信手段１５７は付加対象保存手段１５９に通知し、付加対象保存手段１５９は、付加失敗リスト１６０にその内容を追加記録する（Ｓ６０３）。なお、このようにして付加失敗リスト１６０に項目が追加されるたび、ユーザには、タッチパネル１５１上の表示などを通じて、付与失敗データが存在することを通知することが好ましい。
【００５４】
外部端末１５０と映像記録装置１００間の通信が断絶している間にユーザがメタ情報の付与を試みる限り、上記ステップ（Ｓ６０１からＳ６０３）が繰り返される。
【００５５】
外部端末１５０と映像記録装置１００間の無線通信が再び接続された段階で、ユーザは、再送指示手段１６２を通じて、付加情報送信手段１５７に、付加失敗リスト１６０の内容の再送を指示する。
【００５６】
付加情報送信手段１５７は、付加対象保存手段１５９に記録された付加失敗リスト１６０から、付与に失敗した日付・時刻情報とユーザが入力した付加情報の対を読み出し（Ｓ６０５）、無線通信手段１５５を介して映像記録装置１００へとその内容を送信する（Ｓ６０６）。例えば、図５（Ｆ）のような文字列を、無線通信を介して送信する。
【００５７】
映像記録装置１００は、外部端末１５０から、日付・時間と付加情報の対を受け取ると、まずクリップ検索手段１１６に日付・時間情報を通知し、当該日付・時刻において映像記録装置１００が記録していた映像ファイルと、その日付・時刻に該当する映像ファイル内の時間軸上の位置を探し出す（Ｓ６０７）。これは前述のとおり、記録媒体１０１内のすべての付加情報ファイル１１２を走査し、その中に記録された＜ＣｒｅａｔｉｏｎＤａｔｅ＞および＜ＬａｓｔＵｐｄａｔｅＤａｔｅ＞タグの内容と、問い合わせのあった日付・時刻とを比較することにより、問い合わせのあった日付・時刻を、上記２つのタグで記述された時刻の間に含む映像ファイルを検索することによっておこなうことができる。
【００５８】
指定された日付・時刻に撮影していた映像ファイル１０２が発見できた場合、付加情報管理手段１１１は当該映像ファイル１０２に関連付けられた付加情報ファイル１１２を更新することで、受け取った付加情報を付与する（Ｓ６０８）。これは、先に説明した図４におけるＳ５１４と同様の手順によっておこなうことができる。
【００５９】
付加情報ファイル１１２の更新が完了すると、映像記録装置１００は外部端末１５０に対し処理の完了を通知する（Ｓ６０９）。本手順も、先に説明した図４におけるＳ５１６と同様、映像記録装置１００が図５（Ｅ）のような文字列を無線通信により送信することにより実現できる。
【００６０】
外部端末１５０は、ステップＳ６０９による完了通知を受信すると、送信完了した付加失敗情報を付加失敗リスト１６０から削除し（Ｓ６１０）、タッチパネル１５１に完了表示等を行うことにより、ユーザに、付加情報の映像ファイルへの関連付け処理が完了したことを通知する（Ｓ６１１）。
【００６１】
一方、指定された日付・時刻に撮影していた映像ファイルが発見できなかった場合、映像記録装置１００はエラーが発生した旨を外部端末１５０に無線通信手段１０４を介して通知し（Ｓ６１２）、外部端末１５０はタッチパネル１５１に警告表示（エラー表示）を表示するなどの手段でユーザにエラーが発生したことを通知する（Ｓ６１３）。
【００６２】
外部端末１５０は、再送信の結果付与に失敗した情報を付加失敗リスト１６０から削除せず、再び、再送信の指示がなされるのに備える。
【００６３】
３．まとめ
以上説明したように、本実施の形態１に係る映像記録装置１００は、外部端末１５０から無線通信を介して付加情報を受け取り、映像ファイル１０２の時間軸上に当該付加情報を付与することができるが、付加情報を付与すべき時間軸上の地点を決定するための通信をおこなう時に無線回線が断絶していた場合、外部端末１５０は付与に失敗した付加情報を、自身が内蔵する時計１６１が示すローカル時間と対にして保存する。再度両者が接続可能となった時点で、外部端末１５０は映像記録装置１００に、当該ローカル時間と付加情報の対を送信する。映像記録装置１００は、映像ファイル１０２に関連付けられた付加情報ファイル１１２に記録された記録開始日時・時刻と記録終了日時・時刻と、与えられたローカル時間を比較することで、該当する映像ファイルおよび当該映像ファイル内での時間的オフセットを検索する。該当する映像ファイルが発見できた場合は、受信した付加情報を、映像データに関連付けて、記録媒体１０１に記録する。これにより、混信等の理由により無線通信が不安定で、ユーザの意図した時間軸上の地点に付加情報の付与が実行できなかった場合であっても、事後的な処理を通して、無線通信がつながっていた場合と同じ状態にすることができる。このことで、後の映像処理工程において映像内のチェックポイントを見失うことがなくなるため、作業効率の大幅な向上が期待できる。
【００６４】
なお、本実施の形態１では、映像ファイル１０２に関連付けた付加情報ファイル１１２の作成タイミングを、映像記録装置１００が映像の記録を開始するのと同時としたが、撮影開始以降のどのタイミングであっても構わない。例えば、撮影動作終了時や、ユーザによって指示されたタイミングであってもよい。
【００６５】
また、本実施の形態１では、映像ファイル１０２と付加情報ファイル１１２を同じ記録媒体１０１に記録するものとしたが、異なる記録媒体に記録しても構わない。映像ファイル１０２と付加情報ファイル１１２との関連付けが、付加情報ファイル１１２のファイル名や、付加情報ファイル１１２内の記述内容などを用いて明確におこなわれれば、本実施の形態１の効果を得るにあたり、各々のファイルの所在地は問題とならない。
【００６６】
また、本実施の形態１では、映像ファイル１０２のファイル形式をＭＸＦ、付加情報ファイル１１２のファイル形式をＸＭＬとしたが、これは説明の便宜上定めたファイル形式であって、本実施において採用されるべきファイル形式を限定するものではない。
【００６７】
また、本実施の形態１では、映像記録装置１００が撮影状態の問い合わせを受けたときの記録位置を示す情報として、映像記録開始からのフレーム数を利用したが、映像記録開始からの経過時間を利用してもよい。この場合、撮影フレーム数カウンター１１４の代わりに、映像記録開始からの経過時間を計測する手段を設ければよい。
【００６８】
また、本実施の形態１では、外部端末１５０の備える再送指示手段１６２は、タッチパネル１５１上に表示したボタンであるとしたが、必ずしもユーザ自身のアクションを伴うものであることに限定するものではない。すなわち、外部端末１５０と映像記録装置１００間の通信が再開したことを自動的に検知して作動するものであっても構わないし、一定時間毎に自動的に作動と停止を繰り返すものであっても構わない。
【００６９】
また、映像記録装置１００の内蔵する時計１１７と外部端末１５０の内蔵する時計１６１のいずれか一方、もしくは両方が標準時からずれていることにより、正確な場所へとメタ情報を付与できなくなる場合も考えられるが、このような場合は、付加失敗リスト１６０の内容送信前に、両機器間でＮｅｔｗｏｒｋ  Ｔｉｍｅ  Ｐｒｏｔｏｃｏｌ（ＲＦＣ１３０５）等の通信を使って、内臓時計のずれを計算、補正すれば足りる。
【００７０】
また、本実施の形態１では、付加失敗リスト１６０に記録する内容は、付与に失敗した日付・時刻と付加情報の対であるとしたが、再送後の付加対象をさらに限定するため、映像記録装置１００の機器ＩＤも同時に記録し、再送するものとしてもよい。映像記録装置１００の機器ＩＤとは、例えば映像記録装置１００自身の製造番号や、無線通信手段１０４のＭＡＣアドレス（ＩＥＥＥ  ＯＵＩ）など、映像記録装置１００を個別特定できる情報のことをいう。外部端末１５０は、映像記録装置１００と通信を開始した最初の段階でこの機器ＩＤを取得しておき、上記のように利用することで、再送したメタ情報が誤った映像ファイル、すなわち、同時刻に別の映像記録装置で撮影していた映像ファイルに誤って付与されることを防止できる。
【００７１】
また、本実施の形態１では、撮影状態の問い合わせのステップ（Ｓ５０３）と、付加情報の送信（Ｓ５１１）を別のステップとして説明しているが、付加情報の記述時間による付与箇所のずれが問題にならないような場合等は、これらを一度におこなうことにしても構わない。例えば、図５（Ｇ）のような文字列を外部端末１５０から映像記録装置１００に送信することによって、映像記録装置１００が本文字列を受け取った時点で撮影していた箇所に付加情報を付与する、といった運用が考えられる。すなわち、図５（Ｇ）では、＜Ｔａｒｇｅｔ＞タグ内で「Ｃｕｒｒｅｎｔ」という文字列を記述することによって、映像記録装置１００の最新の撮影時点に＜Ｔｅｘｔ＞タグ内に記述したテキストメモを付与することを要求している。本命令を受信した映像記録装置１００は、命令を受け取った時点での撮影状態に関する各パラメータ（Ｓ５０６で返すパラメータ）を指定して付加情報付与命令がなされたものとして、Ｓ５１２以下と同じ処理をすればよい。
【００７２】
また、本実施の形態１では、付与失敗の日時・時間情報と付加情報の対を付加失敗リスト１６０に記録するのは撮影状態の問い合わせ（Ｓ５０３）が失敗した場合についてのみ説明したが、これは例示にすぎず、図４および図６において映像記録装置１００と外部端末１５０が通信をおこなうステップにおいて、その通信が失敗した場合であれば、どの時点でも当技術は有効である。例えば、Ｓ５１１における外部端末１５０から映像記録装置１００への通信が失敗した場合に対し、図６以下の手順をおこなうことも充分有効である。
【００７３】
また、本実施の形態１では、映像ファイル１０２の撮影開始及び撮影終了の日時・時間情報を付加情報ファイル１１２に記載し、クリップ検索手段１１６はこれらを利用するものとして説明したが、簡易には、記録媒体１０１上に構築したファイルシステムに記録された映像ファイル１０２の作成日時・時間情報や更新日時・時間情報から撮影開始及び撮影終了日時・時刻を得ることは可能である。また同様に、映像ファイル１０２自身が内包する情報（例えばＭＸＦフォーマットとしてファイルに書かれている、Ｍｏｄｉｆｉｅｄ  Ｄａｔｅ情報およびＤｕｒａｔｉｏｎ情報等）から撮影開始の日時・時間を特定することも可能である。
【００７４】
（実施の形態２）
図７は実施の形態２における外部端末４００の構成を示したブロック図である。本実施の形態２の外部端末４００は、映像記録装置１００側での付加対象の記録媒体が存在しなかった場合（実施の形態１の図６のＳ６１２）の対策として、再々送をおこなう以外の対策の例である。したがって、通信相手となる映像記録装置は実施の形態１で開示した映像記録装置１００と原則として同じであるが、一方で、映像記録装置１００にクリップ検索手段１１６が装備されていない場合に、外部端末４００だけで事後処理を完結させるための手段としても使用可能である。
【００７５】
なお、実施の形態１における外部端末１５０と同一のブロックに関しては、同じ番号を用いるものとする。
【００７６】
本実施の形態２における外部端末４００は、記録媒体接続部４０３を備え、映像記録装置１００から取り外した記録媒体１０１を接続可能である。また、外部端末４００は記録媒体接続部４０３に接続された記録媒体１０１中に記録された付加情報ファイル（図１に示す１１２）をすべて読み出して、その内部に記述された、映像ファイルの記録開始日時・時刻と記録終了日時・時刻を抽出することのできる記録時間読み出し手段４０１を備える。また、記録時間読み出し手段４０１を用いて読み出された映像の記録時間は、記録時間照合手段４０２に通知され、記録時間照合手段４０２は、付加対象保存手段１５９が管理する付加失敗リスト１６０に記録された付与失敗時間が、上記通知された記録時間内に含まれるか否かを判定することができる。
【００７７】
また、外部端末４００は付加情報書き出し手段４０４を備え、映像記録装置１００が備える付加情報管理手段１１１と同じ手法をもって、記録媒体１０１中の付加情報ファイル１１２を変更することにより、映像ファイル１０２の時間軸上の地点に関連付けた付加情報を付与することができる。
【００７８】
以下、本実施の形態２における外部端末４００の動作を、図８のフローチャートを用いて説明する。なお、付加情報の再送信失敗までの手順は、図４および図６で示したものと同じであるため、図８においては、Ｓ６１２以降の処理のみを図示している。
【００７９】
外部端末４００は、映像記録装置１００から付加対象が存在しなかった旨のエラー通知を受信すると、付与失敗した日付・時間情報と付加情報の対を付加失敗リスト１６０から削除せず、記録媒体１０１が記録媒体接続部４０３に挿入されるのを待つ（Ｓ９０１）。
【００８０】
記録媒体１０１が挿入されると、記録時間読み出し手段４０１は、接続された記録媒体１０１中に記録された付加情報ファイル（図１に示す１１２）をすべて読み出して、その内部に記述された、映像ファイルの記録開始日時・時刻と記録終了日時・時刻を抽出する（Ｓ９０２）。記録時間読み出し手段４０１は、上記記録開始・終了日時・時刻の一覧を記録時間照合手段４０２に通知する。記録時間照合手段４０２は、付加失敗リスト１６０に記録された付与失敗日付・時間情報を読み出し（Ｓ９０３）、上記記録開始・終了日時・時刻の一覧と比較することにより、上記付与失敗日付・時間に該当する時に記録されていた映像ファイルが記録媒体１０１内にあるか否かの照合、およびあるとすれば付加情報を付与すべき映像ファイル内の時間的オフセットの計算をおこなう（Ｓ９０４）。
【００８１】
該当する映像ファイルが存在した場合、外部端末４００は、付加情報書き出し手段４０４を通じて、見つかった映像ファイルの、計算された時間的オフセットに対して、付加失敗リスト１６０に記録されていた上記付加情報を付与する（Ｓ９０５）。付加情報の付与は、記録媒体１０１上でみつかった映像ファイル１０２に関連付けられた付加情報ファイル１１２を先に説明した図３Ｂのように変更することによりおこなうことができる。
【００８２】
付与が終わった付加情報は、付加失敗リスト１６０から削除し（Ｓ９０６）、付与作業が終了したことをユーザに通知する（Ｓ９０７）。通知は、タッチパネル１５１上にメッセージを表示することなどを通しておこなう。
【００８３】
一方、上記付与失敗日付・時間に該当する時に記録されていた映像ファイルが記録媒体１０１内にみつからなかった場合は、該当する日付・時間情報と付加情報は付加失敗リスト１６０から削除せず、ユーザにエラーを通知した上で（Ｓ９０８）、別の記録媒体が挿入されるのを待つ。
【００８４】
なお、本実施の形態２では、付加失敗リスト１６０に記録する内容は、付与に失敗した日付・時刻と付加情報の対であるとしたが、再送後の付加対象をさらに限定するため、映像記録装置１００の機器ＩＤも同時に記録し、事後的な付加対象の検索（Ｓ９０４）に使用するものとしてもよいのは実施の形態１と同様である。
【００８５】
また、映像ファイルの撮影開始及び終了日時・時間情報の取得源として、記録媒体上のファイルシステムに含まれる情報や、映像ファイル自身に含まれる情報を利用可能であることも、実施の形態１と同様である。
【００８６】
以上に説明したように、外部端末４００を用いることにより、再送信した付加情報の付加対象となる映像ファイルが記録された記録媒体が映像記録装置１００から抜去されたあとであっても、当該記録媒体を外部端末４００に直接挿入することによって、事後的な処理を通して、意図していた時間軸上の地点に付加情報を付与することができるようになる。
【産業上の利用可能性】
【００８７】
本実施の形態の映像記録装置および外部端末により、両者間の無線接続が混線等により一時的に断絶した場合であっても、映像データの時間軸上の意図したとおりの地点に付加情報を確実に付与することができるため、その付加情報を基にした映像データの検索や頭出しをサポートするノンリニア映像編集ソフト等を使えば、きわめて効率の良い映像編集作業がおこなえるようになり、有用である。
【符号の説明】
【００８８】
１００  映像記録装置
１０１  記録媒体
１０２  映像ファイル
１０３  撮影開始終了受付手段
１０４  無線通信手段
１０５  映像圧縮手段
１０６  撮像手段
１０７  記録媒体制御手段
１０８  クリップ情報管理手段
１０９  ファイル名決定手段
１１０  メディアＩＤ管理手段
１１１  付加情報管理手段
１１２  付加情報ファイル
１１３  メディアＩＤ
１１４  撮影フレーム数カウンター
１１５  撮影状態管理手段
１１６  クリップ検索手段
１１７  内蔵時計
１５０  外部端末
１５１  タッチパネル
１５２  付加情報入力開始検出手段
１５３  付加情報入力受付手段
１５４  送信指示手段
１５５  無線通信手段
１５６  撮影状態問い合わせ手段
１５７  付加情報送信手段
１５８  付加対象メモリ
１５９  付加対象保存手段
１６０  付加失敗リスト
１６１  内蔵時計
１６２  再送指示手段
４００  外部端末
４０１  記録時間読み出し手段
４０２  記録時間照合手段
４０３  記録媒体接続部
４０４  付加情報書き出し手段
【図１】
2011091723.tif 000003
【図２】
2011091723.tif 000004
【図３Ａ】
2011091723.tif 000005
【図３Ｂ】
2011091723.tif 000006
【図４】
2011091723.tif 000007
【図５】
2011091723.tif 000008
【図６】
2011091723.tif 000009
【図７】
2011091723.tif 000010
【図８】
2011091723.tif 000011